(57)【特許請求の範囲】
【請求項１】
物体側から像側へ順に、正の屈折力の第１レンズ群、負の屈折力の第２レンズ群、反射素子、２以上のレンズ群と開口絞りを含む後続レンズ群を有し、ズーミングに際して、前記反射素子が不動であり、前記第１レンズ群と前記第２レンズ群と前記後続レンズ群を構成する２以上のレンズ群が移動することによって隣り合うレンズ群の間隔が変化するズームレンズにおいて、
広角端から望遠端へのズーミングにおける前記第１レンズ群と前記第２レンズ群の移動量の絶対値を各々Ｍ１、Ｍ２、広角端と望遠端における前記第２レンズ群の結像倍率を各々β２ｗ、β２ｔ、最も物体側のレンズ面から前記開口絞りまでの広角端における光軸上の距離をＬＳｗ、広角端から望遠端へのズーミングにおける前記開口絞りの移動量の絶対値をＭｓ、広角端と望遠端における全系の焦点距離を各々ｆｗ、ｆｔとしたとき、
１．４＜Ｍ１／Ｍ２＜２０．０
０．２０＜（Ｍ２＋Ｍｓ）／ＬＳｗ＜０．４４
０．２０＜（β２ｔ／β２ｗ）／（ｆｔ／ｆｗ）＜０．４４
なる条件式を満足することを特徴とするズームレンズ。
【請求項２】
広角端における前記ズームレンズの全長をＯＡＬｗとするとき、
０．４０＜ＬＳｗ／ＯＡＬｗ＜０．６６
なる条件式を満足することを特徴とする請求項１に記載のズームレンズ。
【請求項３】
前記第２レンズ群を構成する正レンズのうち、材料のアッベ数が最も小さい正レンズの材料のアッベ数をνｄ２ｐとするとき、
１０．０＜νｄ２ｐ＜２０．０
なる条件式を満足することを特徴とする請求項１又は２に記載のズームレンズ。
【請求項４】
前記第２レンズ群を構成するレンズの材料の屈折率の平均値をｎｄ２ａｖｅとするとき、
１．８３＜ｎｄ２ａｖｅ＜２．３０
なる条件式を満足することを特徴とする請求項１乃至３のいずれか１項に記載のズームレンズ。
【請求項５】
前記第１レンズ群を構成する正レンズのうち、材料のアッベ数が最も大きい正レンズの材料のアッベ数と屈折率を各々νｄ１ｐ、ｎ１ｄｐとするとき、
６０．０＜νｄ１ｐ＜１００．０
１．４０＜ｎｄ１ｐ＜１．７０
なる条件式を満足することを特徴とする請求項１乃至４のいずれか１項に記載のズームレンズ。
【請求項６】
前記第１レンズ群の焦点距離をｆ１、前記第２レンズ群の焦点距離をｆ２とするとき、
３．５０＜ｆ１／｜ｆ２｜＜８．００
なる条件式を満足することを特徴とする請求項１乃至５のいずれか１項に記載のズームレンズ。
【請求項７】
前記第２レンズ群の焦点距離をｆ２、前記第２レンズ群の光軸上の厚さをＤ２とするとき、
０．６０＜｜ｆ２｜／Ｄ２＜１．２０
なる条件式を満足することを特徴とする請求項１乃至６のいずれか１項に記載のズームレンズ。
【請求項８】
前記ズームレンズの沈胴に際して前記反射素子が移動し、前記反射素子が移動して生じた空間側に前記第１レンズ群および前記第２レンズ群が移動することを特徴とする請求項１乃至７のいずれか１項に記載のズームレンズ。
【請求項９】
前記後続レンズ群は、物体側から像側へ順に、負の屈折力の第３レンズ群、正の屈折力の第４レンズ群、負の屈折力の第５レンズ群、正の屈折力の第６レンズ群より構成されることを特徴とする請求項１乃至８のいずれか１項のズームレンズ。
【請求項１０】
前記後続レンズ群は、物体側から像側へ順に、正の屈折力の第３レンズ群、正の屈折力の第４レンズ群より構成されることを特徴とする請求項１乃至８のいずれか１項のズームレンズ。
【請求項１１】
前記後続レンズ群は、物体側から像側へ順に、正の屈折力の第３レンズ群、負の屈折力の第４レンズ群、正の屈折力の第５レンズ群より構成されることを特徴とする請求項１乃至８のいずれか１項のズームレンズ。
【請求項１２】
請求項１乃至１１のいずれか１項に記載のズームレンズと、該ズームレンズによって形成された像を受光する固体撮像素子を有することを特徴とする撮像装置。
【発明の詳細な説明】
【技術分野】
【０００１】
本発明はズームレンズに関し、例えばビデオカメラ、デジタルスチルカメラ、放送用カメラ、銀塩写真用カメラ等の撮像装置に用いられる撮影光学系に好適なものである。
【背景技術】
【０００２】
最近、撮像装置に用いられる撮影光学系は、広画角、高ズーム比で、全体が小型であることが求められており、特にカメラの厚みを薄くできるズームレンズであることが求められている。カメラの小型化とズームレンズの高ズーム比化を図るため、非撮影時に各レンズ群の間隔を撮影状態と異なる間隔まで縮小してカメラ筐体内に収納する、所謂沈胴式のズームレンズが知られている。
【０００３】
またカメラの厚み（前後方向の厚さ）を薄くするために、撮影光学系の光軸を９０°折り曲げる反射ミラーや反射プリズム等の光路折り曲げ用の反射素子を光路中に配置した、所謂屈曲式のズームレンズが知られている。更に、両方式を複合した方式として、撮影時には屈曲式を用い、非撮影時には反射素子が光軸方向に移動し、反射素子が移動する。そしてこれによって生じた空間に、反射素子の物体側に位置するレンズ群を沈胴収納するようにした、所謂屈曲沈胴式のズームレンズが知られている（特許文献１、２）。
【０００４】
特許文献１の屈曲変倍光学系では、正の屈折力の第１レンズ群、負の屈折力の第２レンズ群、反射ミラー、正の屈折力の第３レンズ群、正の屈折力の第４レンズ群を有している。そして、非撮影時に反射ミラーを折り畳み、第１、第２レンズ群を沈胴することで非撮影時のカメラの薄型化を実現している。
【０００５】
また、特許文献２のズームレンズでは、正の屈折力の第１レンズ群、負の屈折力の第２レンズ群、反射部材、負の屈折力の第３レンズ群、正の屈折力の第４レンズ群、正又は負の屈折力の第５レンズ群を有している。そして非撮影時に反射部材を光軸上像面側に退避し、第１、第２レンズ群を沈胴することで非撮影時のカメラの薄型化を実現している。
【先行技術文献】
【特許文献】
【０００６】
【特許文献１】特開２００７−２７９５４１号公報
【特許文献２】特開２０１０−１５２３１８号公報
【発明の概要】
【発明が解決しようとする課題】
【０００７】
撮影光学系の光路を折り曲げる反射素子を備えると共に沈胴式を利用したズームレンズであれば高ズーム比化が容易で、またカメラに適用したときカメラの厚みを薄くすることが容易になる。しかしながら、これらの効果を得るためにはズームレンズのレンズ構成を適切に設定し、かつ反射素子の光路中の配置や開口絞りの位置等を適切に設定することが重要になってくる。
【０００８】
例えば、レンズ群の数、各レンズ群の屈折力配置、ズーミングの際の各レンズ群の移動条件等のレンズ構成や開口絞りを光路中に配置するときの位置等を適切に設定することが重要になってくる。これらの構成が適切でないと、上記の効果を得ることが難しい。
【０００９】
例えば特許文献１の実施例１、２、４においては、反射部材より物体側のレンズ群の変倍分担を強くなるように配置し、かつ、第２レンズ群の移動量に比して第１レンズ群の移動量を少なくなるように設定している。これらの各実施例では、広角端における全画角がいずれも６０〜６５度程度である。この構成のまま、例えば広角化を図ろうとすると、第２レンズ群の移動量が第１レンズ群の移動量より大きいことから、広角端において前玉が絞り位置より遠くに配置されることとなる。この結果、広角化における前玉有効径が増大する傾向となる。
【００１０】
一方、第２レンズ群の移動量を小さくしようとすると、第２レンズ群の屈折力をより強くしなければならず、広角化における像面彎曲が増大する傾向となる。
【００１１】
特許文献１の実施例３においては、第２レンズ群をズーミングの際に固定としている。この構成において、ズームレンズをより広画角化及び高ズーム比化しようとすると、第１レンズ群の移動量をより大きくする、若しくは第２レンズ群の屈折力をより強くする必要がある。この結果、沈胴段数が増加し、鏡筒径が増大する傾向となる。屈曲沈胴式のズームレンズにおいては、広画角化と前玉有効径を小さくすることが大変難しい。
【００１２】
本発明は、高ズーム比、広画角で良好なる画像を容易に得ることができ、しかもカメラに適用したときカメラ等の厚みを薄くすることができるズームレンズ及びそれを用いた撮像装置を提供することを目的とする。
【課題を解決するための手段】
【００１３】
本発明のズームレンズは、物体側から像側へ順に、正の屈折力の第１レンズ群、負の屈折力の第２レンズ群、反射素子、２以上のレンズ群と開口絞りを含む後続レンズ群を有し、ズーミングに際して、前記反射素子が不動であり、前記第１レンズ群と前記第２レンズ群と前記後続レンズ群を構成する２以上のレンズ群が移動することによって隣り合うレンズ群の間隔が変化するズームレンズにおいて、
広角端から望遠端へのズーミングにおける前記第１レンズ群と前記第２レンズ群の移動量の絶対値を各々Ｍ１、Ｍ２、広角端と望遠端における前記第２レンズ群の結像倍率を各々β２ｗ、β２ｔ、最も物体側のレンズ面から前記開口絞りまでの広角端における光軸上の距離をＬＳｗ、広角端から望遠端へのズーミングにおける前記開口絞りの移動量の絶対値をＭｓ、広角端と望遠端における全系の焦点距離を各々ｆｗ、ｆｔとしたとき、
１．４＜Ｍ１／Ｍ２＜２０．０
０．２０＜（Ｍ２＋Ｍｓ）／ＬＳｗ＜０．４４
０．２０＜（β２ｔ／β２ｗ）／（ｆｔ／ｆｗ）＜０．４４
なる条件式を満足することを特徴としている。
【発明の効果】
【００１４】
本発明によれば、高ズーム比、広画角で良好なる画像を容易に得ることができ、しかもカメラに適用したときカメラ等の厚みを薄くすることができるズームレンズが得られる。
【図面の簡単な説明】
【００１５】
【図１】実施例１の広角端におけるレンズ断面図
【図２】（Ａ）、（Ｂ）、（Ｃ）  実施例１の広角端、中間のズーム位置、望遠端における収差図
【図３】実施例２の広角端におけるレンズ断面図
【図４】（Ａ）、（Ｂ）、（Ｃ）  実施例２の広角端、中間のズーム位置、望遠端における収差図
【図５】実施例３の広角端におけるレンズ断面図
【図６】（Ａ）、（Ｂ）、（Ｃ）  実施例３の広角端、中間のズーム位置、望遠端における収差図
【図７】実施例４の広角端におけるレンズ断面図
【図８】（Ａ）、（Ｂ）、（Ｃ）  実施例４の広角端、中間のズーム位置、望遠端における収差図
【図９】実施例５の広角端におけるレンズ断面図
【図１０】（Ａ）、（Ｂ）、（Ｃ）  実施例５の広角端、中間のズーム位置、望遠端における収差図
【図１１】実施例６の広角端におけるレンズ断面図
【図１２】（Ａ）、（Ｂ）、（Ｃ）  実施例６の広角端、中間のズーム位置、望遠端における収差図
【図１３】実施例７の広角端におけるレンズ断面図
【図１４】（Ａ）、（Ｂ）、（Ｃ）  実施例７の広角端、中間のズーム位置、望遠端における収差図
【図１５】実施例８の広角端におけるレンズ断面図
【図１６】（Ａ）、（Ｂ）、（Ｃ）  実施例８の広角端、中間のズーム位置、望遠端における収差図
【図１７】本発明のズームレンズを用いた撮像装置の概略構成図
【図１８】本発明のズームレンズを用いた撮像装置の概略構成図
【発明を実施するための形態】
【００１６】
以下に、本発明の好ましい実施の形態を、添付の図面に基づいて詳細に説明する。本発明のズームレンズは、物体側から像側へ順に、正の屈折力の第１レンズ群、負の屈折力の第２レンズ群を有する。更に反射ミラーや反射プリズム等からなり光軸を９０度又は９０度±１０度以内で折り曲げる光路折り曲げ用の反射素子、２以上のレンズ群と開口絞りを含む後続レンズ群を有している。ズーミングに際して反射素子は不動であり、第１レンズ群と第２レンズ群と後続レンズ群を構成する２以上のレンズ群が移動することによって隣り合うレンズ群の間隔が変化する。
【００１７】
沈胴収納時には撮影状態とは異なる位置に反射素子が移動する。そして反射素子の移動によって生じた空間側に、第１レンズ群及び第２レンズ群が移動し、それらの少なくとも一部が沈胴収納される。
【００１８】
図１は、本発明の実施例１のズームレンズの広角端（短焦点距離端）における光路を展開したときのレンズ断面図である。図２（Ａ）、（Ｂ）、（Ｃ）はそれぞれ実施例１のズームレンズの広角端、中間のズーム位置、望遠端（長焦点距離端）における収差図である。
【００１９】
図３は、本発明の実施例２のズームレンズの広角端における光路を展開したときのレンズ断面図である。図４（Ａ）、（Ｂ）、（Ｃ）はそれぞれ実施例２のズームレンズの広角端、中間のズーム位置、望遠端における収差図である。
【００２０】
図５は、本発明の実施例３のズームレンズの広角端における光路を展開したときのレンズ断面図である。図６（Ａ）、（Ｂ）、（Ｃ）はそれぞれ実施例３のズームレンズの広角端、中間のズーム位置、望遠端における収差図である。
【００２１】
図７は、本発明の実施例４のズームレンズの広角端における光路を展開したときのレンズ断面図である。図８（Ａ）、（Ｂ）、（Ｃ）はそれぞれ実施例４のズームレンズの広角端、中間のズーム位置、望遠端における収差図である。
【００２２】
図９は、本発明の実施例５のズームレンズの広角端における光路を展開したときのレンズ断面図である。図１０（Ａ）、（Ｂ）、（Ｃ）はそれぞれ実施例５のズームレンズの広角端、中間のズーム位置、望遠端における収差図である。
【００２３】
図１１は、本発明の実施例６のズームレンズの広角端における光路を展開したときのレンズ断面図である。図１２（Ａ）、（Ｂ）、（Ｃ）はそれぞれ実施例６のズームレンズの広角端、中間のズーム位置、望遠端における収差図である。
【００２４】
図１３は、本発明の実施例７のズームレンズの広角端における光路を展開したときのレンズ断面図である。図１４（Ａ）、（Ｂ）、（Ｃ）はそれぞれ実施例７のズームレンズの広角端、中間のズーム位置、望遠端における収差図である。
【００２５】
図１５は、本発明の実施例８のズームレンズの広角端における光路を展開したときのレンズ断面図である。図１６（Ａ）、（Ｂ）、（Ｃ）はそれぞれ実施例８のズームレンズの広角端、中間のズーム位置、望遠端における収差図である。
【００２６】
図１７（Ａ）、（Ｂ）は本発明の実施例１のズームレンズの光軸を光路折り曲げ用の反射素子で折り曲げてカメラ本体に収納したときの撮像装置の要部概略図である。図１８は本発明の撮像装置の要部概略図である。
【００２７】
実施例１〜８は、それぞれ後述する数値実施例１〜８に対応する。各実施例のズームレンズは撮像装置に用いられる撮影光学系であり、光路を展開したレンズ断面図において、左方が物体側（前方）で、右方が像側（後方）である。尚、各実施例のズームレンズをプロジェクター等の投射レンズとして用いるときは、光路を展開したレンズ断面図において、左方がスクリーン、右方が被投射画像となる。レンズ断面図において、ｉは物体側からのレンズ群の順番を示し、Ｌｉは第ｉレンズ群である。
【００２８】
ＬＲは２以上のレンズ群を含む後続レンズ群である。ＳＳは開口絞りである。ＵＲは光学系の光軸を９０度折り曲げる反射ミラー又は内面反射を利用したプリズム等からなる反射素子である。矢印は広角端から望遠端へのズーミングにおける各レンズ群の移動軌跡を示している。
【００２９】
Ｇは光学フィルター、フェースプレート等に相当する光学ブロックである。ＩＰは像面であり、ビデオカメラやデジタルカメラの撮影光学系として使用する際にはＣＣＤセンサやＣＭＯＳセンサ等の固体撮像素子（光電変換素子）の撮像面に相当し、銀塩フィルム用カメラの撮像光学系として使用する際にはフィルム面に相当する。
【００３０】
図１、図３、図５、図７、図９、図１１に示した実施例１乃至６は６群ズームレンズである。これらのレンズ断面図において、Ｌ１は正の屈折力の第１レンズ群、Ｌ２は負の屈折力の第２レンズ群、ＵＲは反射素子である。後続レンズＬＲは負の屈折力の第３レンズ群Ｌ３、正の屈折力の第４レンズ群Ｌ４、負の屈折力の第５レンズ群Ｌ５、正の屈折力の第６レンズ群Ｌ６を有している。
【００３１】
図１３に示した実施例７は４群ズームレンズである。図１３のレンズ断面図において、Ｌ１は正の屈折力の第１レンズ群、Ｌ２は負の屈折力の第２レンズ群、ＵＲは反射素子である。後続レンズ群ＬＲは正の屈折力の第３レンズ群Ｌ３、正の屈折力の第４レンズ群Ｌ４を有している。
【００３２】
図１５に示した実施例８は５群ズームレンズである。図１５のレンズ断面図において、Ｌ１は正の屈折力の第１レンズ群、Ｌ２は負の屈折力の第２レンズ群、ＵＲは反射素子である。後続レンズ群ＬＲは正の屈折力の第３レンズ群Ｌ３、負の屈折力の第４レンズ群Ｌ４、正の屈折力の第５レンズ群Ｌ５を有している。
【００３３】
図１７の本発明のズームレンズを有するデジタルスチルカメラ（撮像装置）の概略構成図において、図１７（Ａ）は撮影状態であり、図１７（Ｂ）はズームレンズの非撮影の収納状態（沈胴状態）を表している。
【００３４】
図１７（Ａ）、（Ｂ）に示すズームレンズは実施例１のズームレンズを例として示している。図１７において、Ｌ１は正の屈折力の第１レンズ群、Ｌ２は負の屈折力の第２レンズ群である。ＵＲは光路を折り曲げるための反射面を含む反射素子であり、同図では面内反射を用いたプリズムよりなっている。ＬＲは反射素子ＵＲより像側の２以上のレンズ群と開口絞りＳＳを有する後続レンズ群である。後続レンズ群ＬＲは負の屈折力の第３レンズ群Ｌ３、正の屈折力の第４レンズ群Ｌ４、負の屈折力の第５レンズ群Ｌ５、正の屈折力の第６レンズ群Ｌ６よりなっている。
【００３５】
開口絞りＳＳは第４レンズ群Ｌ４のレンズ間に配置されている。ＩＰは、ズームレンズによって形成された像を受光するＣＣＤセンサやＣＭＯＳセンサ等の固体撮像素子（光電変換素子）である。収差図において、ｄ−ｌｉｎｅ、ｇ−ｌｉｎｅは各々ｄ線及びｇ線、ΔＭ、ΔＳはメリディオナル像面、サジタル像面である。倍率色収差はｇ線によって表している。ωは半画角（度）、ＦｎｏはＦナンバーである。なお、各実施例において広角端と望遠端は変倍用のレンズ群が機構上、光軸上を移動可能な範囲の両端に位置したときのズーム位置をいう。
【００３６】
各実施例はいずれも、物体側から像側へ順に、正の屈折力の第１レンズ群Ｌ１、負の屈折力の第２レンズ群Ｌ２、光路折り曲げ用の反射素子ＵＲ、開口絞りと２以上のレンズ群よりなる後続レンズ群ＬＲを有している。そしてズーミングに際し、第１レンズ群Ｌ１、第２レンズ群Ｌ２、後続レンズ群ＬＲを構成する２以上のレンズ群が移動している。ここで、反射素子ＵＲはズーミングのためには不動である。
【００３７】
ズーミングに際して不動の反射素子ＵＲを配置することにより、ズームレンズの光路を折り曲げてカメラボディ内部のスペースを有効活用している。これによって高ズーム比を確保しつつ前後方向に薄型のズームレンズを達成している。また、最も物体側に正の屈折力の第１レンズ群Ｌ１を配置するとともに、少なくとも第１レンズ群Ｌ１、第２レンズ群Ｌ２を移動させてズーミングをすることにより、ズームレンズの広画角化と高ズーム化を達成している。
【００３８】
特に、広角端から望遠端へのズーミングに際して第１レンズ群Ｌ１の移動量に比して、第２レンズ群Ｌ２の移動量が小さくなる構成としている。これにより、広角端において前玉（第１レンズ群Ｌ１）をより像側に配置することとなり、開口絞りＳＳとの間隔を短縮し広画角化に伴う前玉有効径の増大を抑制している。また、反射素子ＵＲより物体側のレンズ群の変倍分担をより小さくなるように配置することにより、第２レンズ群Ｌ２の屈折力の増大を抑制しつつ、広画角化に伴う像面彎曲を良好に補正している。
【００３９】
各実施例ではズーミングに際して、第１レンズ群Ｌ１、第２レンズ群Ｌ２を可動とし、双方の移動量の比、変倍分担を適切に配置することで、光学系全体の大型化を抑制しつつ、広画角化を容易に達成している。
【００４０】
具体的には、広角端から望遠端へのズーミングにおける第１レンズ群Ｌ１と第２レンズ群Ｌ２の移動量の絶対値を各々Ｍ１、Ｍ２とする。広角端と望遠端における第２レンズ群Ｌ２の結像倍率を各々β２ｗ、β２ｔとする。最も物体側のレンズ面から開口絞りＳＳまでの広角端における距離をＬＳｗとする。広角端から望遠端へのズーミングにおける開口絞りＳＳの移動量の絶対値をＭｓとする。
【００４１】
広角端と望遠端における全系の焦点距離を各々ｆｗ、ｆｔとしたとき、
１．４＜Ｍ１／Ｍ２＜２０．０      …（１）
０．２０＜（Ｍ２＋Ｍｓ）／ＬＳｗ＜０．４４      …（２）
０．２０＜（β２ｔ／β２ｗ）／（ｆｔ／ｆｗ）＜０．４４      …（３）
なる条件式を満足している。
【００４２】
条件式（１）は、第１レンズ群Ｌ１と第２レンズ群Ｌ２の広角端から望遠端へのズーミングに際して相対的な移動量を規定する条件式であり、第２レンズ群Ｌ２の移動量に対し、第１レンズ群Ｌ１の移動量が大きいことを規定している。つまり、第１レンズ群Ｌ１が広角端から望遠端にかけて物体側に大きく移動する構成としている。これにより広角端に於いて前玉（第１レンズ群Ｌ１）をより像側に配置し、広画角化による前玉有効径の増大を抑制している。
【００４３】
条件式（１）の下限を超えると、第１レンズ群Ｌ１の移動量に対して第２レンズ群Ｌ２の移動量が大きくなりすぎ、広角端に於いて前玉をより物体側に配置する構成となるため、広画角化により前玉有効径が増大してしまう。一方、条件式（１）の上限を超えると、第１レンズ群Ｌ１の移動量に対して第２レンズ群Ｌ２の移動量が小さくなりすぎ、第２レンズ群Ｌ２の移動による変倍効果が減少する。このため第２レンズ群Ｌ２の屈折力を強くせねばならず、そうすると、広角端において像面彎曲の補正が困難になる。
【００４４】
条件式（２）は、広角端における開口絞りＳＳの位置を規定し、広角端に於いて、前玉が開口絞りＳＳに近くなるように構成することを規定した条件式である。広角端に於いて前玉をより開口絞りＳＳに近い位置に配置することで、広画角化による前玉有効径の増大を抑制している。条件式（２）の下限を超えると、変倍レンズ群である第２レンズ群Ｌ２の移動量が小さくなりすぎ、変倍のために第２レンズ群Ｌ２の屈折力を強くせねばならず、そうすると広角端において像面彎曲の補正が困難になる。
【００４５】
一方、上限を超えると、第２レンズ群Ｌ２の移動量と開口絞りを有するレンズ群の移動量が大きくなりすぎ、広角端に於いて前玉を開口絞りの位置に近く配置するのが難しくなり、広画角化により前玉有効径が増大してしまう。
【００４６】
条件式（３）は、第２レンズ群Ｌ２の変倍分担量に関し、光路折り曲げ用の反射素子ＵＲより物体側群と像側群の変倍分担のバランスを適切に設定している。条件式（３）の下限を超えると、第２レンズ群Ｌ２の変倍分担量が小さくなりすぎ、反射素子ＵＲより像側のレンズ群での変倍分担を強めなければならず、この結果、反射素子ＵＲより像側のレンズ系が大型化し、カメラの横幅が増大してしまう。一方、上限を超えると、第２レンズ群Ｌ２の変倍分担量が大きくなりすぎ、それに応じて第２レンズ群Ｌ２の屈折力が強まり、この結果、広角端において像面彎曲の補正が困難になる。
【００４７】
各実施例において、より好ましくは、条件式（１）乃至（３）の数値範囲を次の如く設定するのが良い。
【００４８】
１．４３＜Ｍ１／Ｍ２＜１５．０        …（１ａ）
０．２５＜（Ｍ２＋Ｍｓ）／ＬＳｗ＜０．４３  …（２ａ）
０．２２０＜（β２ｔ／β２ｗ）／（ｆｔ／ｆｗ）＜０．４４０      …（３ａ）
各実施例において、さらに好ましくは、条件式（１ａ）〜（３ａ）の数値範囲を次の如く設定するのが良い。
【００４９】
１．４６＜Ｍ１／Ｍ２＜１０．００      …（１ｂ）
０．３０＜（Ｍ２＋Ｍｓ）／ＬＳｗ＜０．４２    …（２ｂ）
０．２５０＜（β２ｔ／β２ｗ）／（ｆｔ／ｆｗ）＜０．４３５      …（３ｂ）
【００５０】
次に、本発明のズームレンズにおける好ましい構成について説明する。各実施例においてズームレンズが撮影状態（図１７（Ａ））から収納状態（図１７（Ｂ））へ移行する際は、反射素子ＵＲが光軸上、像側へ移動する。それとともに、反射素子ＵＲが移動することにより生じた空間側に、第１レンズ群Ｌ１および第２レンズ群Ｌ２を移動させて沈胴収納するようにしている。このような、屈曲沈胴式のズームレンズを採用すると、カメラの前後方向の更なる薄型化を実現することが容易になる。
【００５１】
また、本発明のズームレンズにおいて、好ましくは次の条件式のうちの１つ以上を満足するのが良い。広角端におけるズームレンズの全長（最も像側のレンズ面より像側に位置する屈折力を有さないガラスブロックの長さは空気換算長とする）をＯＡＬｗとする。
【００５２】
第２レンズ群Ｌ２に含まれる正レンズのうち材料のアッベ数が最も小さい正レンズの材料のアッベ数をνｄ２ｐとする。第２レンズ群Ｌ２に含まれる（構成する）レンズの材料の屈折率の平均値をｎｄ２ａｖｅとする。第１レンズ群Ｌ１に含まれる正レンズのうち、材料のアッベ数が最も大きい正レンズの材料のアッベ数と屈折率を各々、νｄ１ｐ、ｎ１ｄｐとする。第１レンズ群Ｌ１の焦点距離と第２レンズ群Ｌ２の焦点距離を各々ｆ１、ｆ２とする。第２レンズ群Ｌ２の光軸上の厚さ（物体側のレンズ面頂点から像側のレンズ面頂点までの距離）をＤ２とする。このとき、以下の条件式のうち１以上を満足するのが良い。
【００５３】
０．４０＜ＬＳｗ／ＯＡＬｗ＜０．６６    …（４）
１０．０＜νｄ２ｐ＜２０．０            …（５）
１．８３＜ｎｄ２ａｖｅ＜２．３０        …（６）
６０．０＜νｄ１ｐ＜１００．０          …（７）
１．４０＜ｎｄ１ｐ＜１．７０            …（８）
３．５０＜ｆ１／｜ｆ２｜＜８．００      …（９）
０．６０＜｜ｆ２｜／Ｄ２＜１．２０    …（１０）
次に各条件式の技術的意味について説明する。
【００５４】
条件式（４）は、広角端における開口絞りＳＳの位置を規定した条件式である。条件式（４）を満足するように開口絞りＳＳを配置すると、広角端に於いて前玉を開口絞りＳＳにより近い位置に配置し、広角化による前玉有効径の増大を抑制するのが容易になる。
【００５５】
条件式（４）の下限を超えると、前玉から開口絞りＳＳの位置までの距離に比して広角端の光学全長が大きくなりすぎ、カメラの横幅が増大してしまう。一方、上限を超えると、広角端に於いて前玉を開口絞りＳＳに近くなるように配置することができない構成となり、広画角化により前玉有効径が増大してしまう。
【００５６】
条件式（５）は、第２レンズ群Ｌ２に含まれる正レンズの材料のアッベ数を規定した条件式である。第２レンズ群Ｌ２に含まれる正レンズの少なくとも１つに条件式（５）を満足する高分散材料を用いると、第２レンズ群Ｌ２内の色消しを強め、第２レンズ群Ｌ２内の各単レンズの屈折力を緩めることができる。この結果、第２レンズ群Ｌ２の群厚（光軸上の厚さ）の薄型化が容易になる。このとき、第２レンズ群Ｌ２は非撮影時の沈胴レンズ群であるため、第２レンズ群Ｌ２の群厚の薄型化によりカメラ厚を薄型化を図ることができる。
【００５７】
条件式（５）の下限を超えると、正レンズの材料の分散が大きくなりすぎ、第２レンズ群Ｌ２内の色収差が補正過剰となる。一方、上限を超えると、正レンズの材料の分散が小さくなりすぎ、第２レンズ群Ｌ２内の色消しのため各単レンズのパワーを強めなければならず、この結果第２レンズ群Ｌ２の群厚の薄型化が困難となる。
【００５８】
条件式（６）は、第２レンズ群Ｌ２に含まれる全てのレンズの材料の屈折率の平均値を規定した条件式である。第２レンズ群Ｌ２に含まれる全てのレンズの材料の屈折率の平均値を条件式（６）を満足するように構成すると、第２レンズ群Ｌ２の群厚の薄型化、つまりカメラの薄型化と広角端における像面彎曲の補正が容易になる。
【００５９】
条件式（６）の下限を超えると、屈折率の平均値が低くなりすぎ、第２レンズ群Ｌ２の群厚が大きくなるとともに広角端において像面彎曲が補正困難となる。一方、上限を超えると、屈折率の平均値が高くなりすぎ、全系でのペッツバール和が正の方向に増大し、ズーム全域において像面彎曲の補正が困難になる。
【００６０】
条件式（７）は、第１レンズ群Ｌ１に含まれる正レンズの材料のアッベ数を規定した条件式である。第１レンズ群Ｌ１に含まれる正レンズの少なくとも１つに条件式（７）を満足する低分散材料を用いることで、広角端から望遠端まで、ズーム全域において色収差を良好に補正するのが容易になる。
【００６１】
条件式（７）の下限を超えると、正レンズの材料の分散が大きくなりすぎ、広角端において倍率色収差、望遠端において軸上色収差が補正不足となる。一方、上限を超えると、色収差の補正は容易になるが、この領域の材料は屈折率が低い傾向にあるため、第１レンズ群Ｌ１の群厚が増大し、望遠端において球面収差、コマ収差の補正が困難となる。
【００６２】
条件式（８）は、第１レンズ群Ｌ１に含まれる正レンズのうち、材料のアッベ数が最も大きい正レンズの材料の屈折率を規定した条件式である。アッベ数が最も大きい正レンズの材料の屈折率を条件式（８）を満足するように構成すると、第１レンズ群Ｌ１の群厚の薄型化と望遠端における球面収差、コマ収差の補正が容易になる。このとき、第１レンズ群Ｌ１は非撮影時の沈胴レンズ群であるため、第１レンズ群Ｌ１の群厚の薄型化によりカメラ厚を薄型化することが容易になる。
【００６３】
条件式（８）の下限を超えると、正レンズの材料の屈折率が低くなりすぎ、第１レンズ群Ｌ１の群厚が大きくなるとともに望遠端において球面収差、コマ収差の補正が困難となる。一方、上限を超えると、正レンズの材料の屈折率が高くなりすぎ、低分散の材料が選択できなくなることから、広角端に於ける倍率色収差と望遠端に於ける軸上色収差の補正が困難となる。
【００６４】
条件式（９）は、第１レンズ群Ｌ１と第２レンズ群Ｌ２の屈折力のバランスを規定した条件式である。第１レンズ群Ｌ１と第２レンズ群Ｌ２のパワーバランスを条件式（９）を満足するように構成すると、全系の小型化と良好なる光学性能を得るのが容易になる。
【００６５】
条件式（９）の下限又は上限いずれを超えても、第１レンズ群Ｌ１または、第２レンズ群Ｌ２の屈折力が強くなりすぎるため、ズーム全域での収差補正が困難となるか、所望のズーム比を得るのに全系が大型化してしまう。
【００６６】
条件式（１０）は、第２レンズ群Ｌ２における屈折力と第２レンズ群Ｌ２の群厚のバランスを規定した条件式である。第２レンズ群Ｌ２を条件式（１０）を満足するように構成すると、第２レンズ群Ｌ２の群厚の短縮によるカメラ厚の薄型化と広角端に於ける像面彎曲の良好なる補正が容易になる。
【００６７】
条件式（１０）の下限又は上限いずれを超えても、第２レンズ群Ｌ２の屈折力が強まりすぎ広角端において像面彎曲の補正が困難となるか、第２レンズ群Ｌ２の群厚が厚くなりすぎカメラ厚が増大してしまう。
【００６８】
各実施例において、より好ましくは条件式（４）乃至（１０）の数値範囲を以下の範囲とするのがよい。
【００６９】
０．５００＜ＬＳｗ／ＯＡＬｗ＜０．６５５      …（４ａ）
１２．０＜νｄ２ｐ＜１９．５                  …（５ａ）
１．８５＜ｎｄ２ａｖｅ＜２．２０              …（６ａ）
６１．０＜νｄ１ｐ＜９８．０                  …（７ａ）
１．４３＜ｎｄ１ｐ＜１．６５                  …（８ａ）
３．６０＜ｆ１／｜ｆ２｜＜７．５０            …（９ａ）
０．７０＜｜ｆ２｜／Ｄ２＜１．１５          …（１０ａ）
各実施例において、さらに好ましくは条件式（４ａ）乃至（１０ａ）の数値範囲を以下の範囲とするのがよい。
【００７０】
０．５２０＜ＬＳｗ／ＯＡＬｗ＜０．６５２      …（４ｂ）
１４．０＜νｄ２ｐ＜１９．０                  …（５ｂ）
１．８７＜ｎｄ２ａｖｅ＜２．１０              …（６ｂ）
６２．０＜νｄ１ｐ＜９６．０                  …（７ｂ）
１．４５＜ｎｄ１ｐ＜１．６２                  …（８ｂ）
３．７０＜ｆ１／｜ｆ２｜＜７．００            …（９ｂ）
０．７５＜｜ｆ２｜／Ｄ２＜１．１０          …（１０ｂ）
次に各実施例の具体的なレンズ構成について説明する。
【００７１】
［実施例１］
図１を参照して、本発明の実施例１のズームレンズについて説明する。図１の実施例１は物体側から像側へ順に、正、負、負、正、負、正の屈折力の第１乃至第６レンズ群よりなる６群ズームレンズである。
【００７２】
実施例１では、広角端から望遠端へのズーミングに際し、反射素子ＵＲ、第３レンズ群Ｌ３、第５レンズ群Ｌ５は不動であり、第１レンズ群Ｌ１、第４レンズ群Ｌ４を物体側へ、第２レンズ群Ｌ２と第６レンズ群Ｌ６は像側へ移動している。ここで、開口絞りＳＳを有するレンズ群ＬＳは第４レンズ群Ｌ４である。開口絞りＳＳを、第４レンズ群Ｌ４内に配置し、第４レンズ群Ｌ４と一体で移動している。また、反射素子ＵＲとしては、全反射を利用した全反射プリズムを採用している。
【００７３】
反射素子ＵＲの像側に負の屈折力の第３レンズ群Ｌ３を配することで、第４レンズ群Ｌ４の正の屈折力が強まり、第４レンズ群Ｌ４での変倍分担を増加している。そして反射素子ＵＲより物体側のレンズ群での変倍分担を緩和しつつ、全系で高ズーム比を実現している。
【００７４】
変倍に伴う像面変動の補償は第６レンズ群Ｌ６を像側に非線形な軌跡で移動させることで行っている。無限遠物体から有限物体距離物体への合焦は、第６レンズ群Ｌ６を光軸上で移動させる、リアフォーカス方式を採用している。ズームレンズが振動したときの画像のぶれを補正する手ぶれの補正は第４レンズ群Ｌ４を構成するレンズの一部を光軸に対して垂直方向の成分を持つように移動させることにより行っている。
【００７５】
［実施例２］
図３を参照して、本発明の実施例２のズームレンズについて説明する。実施例２は、レンズ群の数、屈折力配置等のズームタイプ、合焦方式、手ぶれ補正方式等は実施例１と同じである。反射素子ＵＲとして、反射ミラーを採用した点が実施例１と異なっている。
【００７６】
［実施例３］
図５を参照して、本発明の実施例３のズームレンズについて説明する。実施例３は、ズームタイプ、合焦方式、手ぶれ補正方式等は実施例１と同じである。実施例３は開口絞りＳＳを独立に構成し、ズーミングに際して独立に移動している点が実施例１と異なっている。
【００７７】
具体的には、開口絞りＳＳを、第３レンズ群Ｌ３と第４レンズ群Ｌ４の間に配置し、広角端から望遠端へのズーミングに際して各レンズ群と独立して物体側に移動している。広角端において、開口絞り位置をより物体側に配置することで、前玉有効径の小型化に有利な構成としている。
【００７８】
［実施例４］
図７を参照して、本発明の実施例４のズームレンズについて説明する。実施例４は、ズームタイプ、合焦方式、手ぶれ補正方式等は実施例１と同じである。ズーミングに際して第５レンズ群Ｌ５を移動した点が実施例１と異なっている。具体的には、広角端から望遠端へのズーミングに際して第５レンズ群Ｌ５を物体側に移動させることで、ズーム中間における像面彎曲の変動等を良好に補正している。
【００７９】
［実施例５］
図９を参照して、本発明の実施例５のズームレンズについて説明する。実施例５は、ズームタイプ、合焦方式、手ぶれ補正方式等は実施例１と同じである。本実施例はズーム比が実施例１と比較して、大きいことが異なっている。本実施例では第１レンズ群Ｌ１の正レンズに異常部分分散性を有する低分散料を用いることで、高ズーム比化により増加する望遠端における色収差を良好に補正している。
【００８０】
［実施例６］
図１１を参照して、本発明の実施例６のズームレンズについて説明する。実施例６は、ズームタイプ、合焦方式、手ぶれ補正方式等は実施例１と同じである。本実施例はズーム比が実施例１と比較して、大きいことが異なる。本実施例では、第１レンズ群Ｌ１の正レンズに異常部分分散性を有し、低分散に比して高屈折率料の材料を用いることで、高ズーム比化により増加する望遠端における色収差を良好に補正しつつ、第１レンズ群Ｌ１の群厚の薄型化を実現している。
【００８１】
［実施例７］
図１３を参照して、本発明の実施例７のズームレンズについて説明する。実施例７は物体側から順に、正、負、正、正の屈折力の第１乃至第４レンズ群よりなる４群ズームレンズである。実施例７では、広角端から望遠端へのズーミングに際し、反射素子ＵＲは不動である。第１レンズ群Ｌ１、第３レンズ群Ｌ３を物体側へ、第２レンズ群Ｌ２は像側している。第４レンズ群Ｌ４は非直線的に移動している。
【００８２】
ここで、開口絞りＳＳを有するレンズ群ＬＳは第３レンズ群Ｌ３である。開口絞りＳＳは、第３レンズ群Ｌ３内に配置し、第３レンズ群Ｌ３と一体で移動している。また、反射素子ＵＲとしては、実施例１と同様に全反射プリズムを採用している。広角端から望遠端へのズーミングに際し、反射素子ＵＲの位置直前まで第３レンズ群Ｌ３の移動ストロークを確保することで第３レンズ群Ｌ３での変倍分担を増加している。そして反射素子ＵＲより物体側のレンズ群での変倍分担を緩和しつつ、全系での高ズーム比化を実現している。
【００８３】
変倍に伴う像面変動の補償は第４レンズ群Ｌ４を像側に非線形な軌跡で移動させることで行っている。無限遠物体から有限物体距離物体への合焦は、第４レンズ群Ｌ４を光軸上で移動させる、リアフォーカス方式を採用している。手ぶれの補正は第３レンズ群Ｌ３を構成するレンズの一部を光軸に対して垂直方向の成分を持つように移動させることにより行っている。
【００８４】
［実施例８］
図１５を参照して、本発明の実施例８のズームレンズについて説明する。実施例８は物体側から順に、正、負、正、負、正の屈折力の第１乃至第５レンズ群よりなる５群ズームレンズである。
【００８５】
実施例８では、広角端から望遠端へのズーミングに際し、反射素子ＵＲ、第４レンズ群Ｌ４は不動とし、第１レンズ群Ｌ１、第３レンズ群Ｌ３を物体側へ、第２レンズ群Ｌ２と第５レンズ群Ｌ５は像側へ移動している。ここで、開口絞りＳＳを有するレンズ群ＬＳは第３レンズ群Ｌ３である。開口絞りＳＳは、第３レンズ群Ｌ３内に配置し、第３レンズ群Ｌ３と一体で移動している。また、反射素子ＵＲとしては、実施例１と同様に全反射プリズムを採用している。
【００８６】
広角端から望遠端へのズーミングに際し、反射素子ＵＲの位置直前まで第３レンズ群Ｌ３の移動ストロークを確保することで、第３レンズ群Ｌ３での変倍分担を増加している。また、第３レンズ群Ｌ３と第５レンズ群Ｌ５の間に負の屈折力の第４レンズ群Ｌ４を追加することで、第５レンズ群Ｌ５の正の屈折力を強め、変倍分担とフォーカスの敏感度を増加させている。ゆえに、第３レンズ群Ｌ３と第５レンズ群Ｌ５の変倍分担を増加し、反射素子ＵＲより物体側のレンズ群での変倍分担を緩和しつつ、全系での高ズーム比化を実現している。
【００８７】
変倍に伴う像面変動の補償は第５レンズ群Ｌ５を像側に非線形な軌跡で移動させることで行っている。無限遠物体から有限物体距離物体への合焦は、第５レンズ群Ｌ５を光軸上で移動させる、リアフォーカス方式を採用している。手ぶれの補正は第３レンズ群Ｌ３を構成するレンズの一部を光軸に対して垂直方向の成分を持つように移動させることにより行っている。
【００８８】
各実施例のズームレンズにおいて、ズーミングに際してのＦナンバーの変動を制御するため、ズーム位置に応じて開口絞りＳＳの絞り径の制御を行ってもよい。また、電子撮像素子を有するデジタルカメラに適用した場合には、ズームレンズに残存する歪曲収差を電気的に補正（画像処理での補正）してもよい。
【００８９】
以下、実施例１〜８に対応する数値実施例１〜８の具体的数値データを示す。各数値実施例において、ｉは物体側から数えた面の番号を示す。ｒｉは第ｉ番目の光学面（第ｉ面）の曲率半径である。ｄｉは第ｉ面と第（ｉ＋１）面との軸上間隔である。ｎｄｉ、νｄｉはそれぞれｄ線に対する第ｉ番目の光学部材の材料の屈折率、アッベ数である。撮影画角は半画角（度）で示している。ここで、アッべ数νｄは以下の式であらわされる。
【００９０】
νｄ＝（Ｎｄ−１）／（ＮＦ−ＮＣ）
である。ここでＮｄをフラウンホーファーのｄ線（波長５８７．６ｎｍ）に対する屈折率、ＮＦをフラウンホーファーのＦ線（波長４８６．１ｎｍ）に対する屈折率、ＮＣをフラウンホーファーのＣ線（波長６５６．３ｎｍ）に対する屈折率とする。ＢＦはバックフォーカスであり、最終レンズから像面までの空気換算の距離で表している。
【００９１】
非球面形状は、光の進行方向を正、ｘを光軸方向の面頂点からの変位量として、ｈを光軸と垂直な方向の光軸からの高さ、ｒを近軸曲率半径、Ｋを円錐定数、Ａ４、Ａ６、Ａ８、Ａ１０を非球面係数とするとき、
ｘ＝（ｈ２／ｒ）／［１＋｛１−（１＋Ｋ）×（ｈ／ｒ）２｝１／２］＋Ａ４×ｈ４＋Ａ６×ｈ６＋Ａ８×ｈ８＋Ａ１０×ｈ１０
なる式で表している。なお、数値の「ｅ±ＸＸ」は「×１０±ＸＸ」を意味している。また、前述の各条件式と数値実施例との関係を（表１）に示す。
【００９２】
（数値実施例１）
単位 mm
面データ
面番号       r        d      nd         νd       有効径
1         29.442    1.10   1.84666    23.9       24.53
2         18.140    4.00   1.48749    70.2       21.76
3         58.222    0.10                         21.01
4         21.740    2.80   1.77250    49.6       20.46
5         88.350  (可変)                         19.94
6         88.743    1.05   1.84954    40.1       13.50
7*         5.649    3.78                          9.27
8        -11.341    0.60   1.88300    40.8        8.92
9         24.462    0.16                          9.11
10         17.486    2.35   1.92286    18.9        9.31
11        -23.100  (可変)                          9.31
12          ∞       8.00   1.83400    37.2        7.26
13          ∞       0.68                          5.77
14        -24.294    0.60   1.77250    49.6        5.89
15        -41.535  (可変)                          6.06
16*         8.978    2.00   1.55332    71.7        6.39
17*       -32.298    1.02                          6.31
18(絞り)    ∞       1.02                          6.10
19         11.955    0.60   1.84666    23.9        5.85
20          7.462    1.33                          5.59
21         14.272    2.70   1.48749    70.2        5.73
22         -7.881    0.61   1.88300    40.8        5.86
23        -12.552  (可変)                          6.04
24        -46.317    0.70   1.60311    60.6        5.77
25         11.130  (可変)                          5.81
26*        12.732    3.35   1.48749    70.2       10.38
27        -14.944  (可変)                         10.39
28          ∞       0.30   1.51633    64.1       20.00
29          ∞       1.50                         20.00
30          ∞       0.50   1.51633    64.1       20.00
31          ∞                                    20.00
像面        ∞   
【００９３】
非球面データ
第7面
K = 0.00000e+000  A 4=-1.08503e-004  A 6=-6.19351e-006  A 8= 2.36397e-007  A10=-1.20711e-008  
第16面
K =-4.71075e-001  A 4=-5.10203e-005  A 6= 1.18500e-007  A 8=-1.31444e-008  
第17面
K =-1.87937e+001  A 4= 3.60355e-005  
第26面
K = 0.00000e+000  A 4=-9.54239e-005  A 6=-9.58971e-007  A 8= 8.96786e-009  
各種データ
ズーム比      9.42 
広角     中間     望遠
焦点距離       4.43    16.29    41.71  
Fナンバー      3.11     4.91     6.07  
半画角        36.96    13.38     5.31  
像高           3.33     3.88     3.88  
レンズ全長    73.53    79.52    86.37  
BF           10.18      5.71    4.96
d 5            0.50    10.31    17.16  
d11            4.75     0.94     0.93  
d15           12.80     5.24     0.32  
d23            0.91     8.47    13.39  
d25            5.56    10.03    10.79  
d27            7.65     3.18     2.43   
入射瞳位置    15.01    42.25    89.55  
射出瞳位置   -63.23    64.31    46.98  
前側主点位置  19.14    62.70   168.69  
後側主点位置  -3.93   -15.79   -41.21  
ズームレンズ群データ
群  始面    焦点距離  レンズ構成長  前側主点位置  後側主点位置
L1    1      36.47         8.00         1.44         -3.58
L2    6      -6.59         7.94         0.45         -6.18
UR   12       ∞           8.00         2.18         -2.18
L3   14     -76.93         0.60        -0.48         -0.83
L4   16      12.26         9.29         2.39         -6.03
L5   24     -14.81         0.70         0.35         -0.08
L6   26      14.68         3.35         1.08         -1.27
G   28       ∞           2.30         1.01         -1.01
単レンズデータ
レンズ  始面  焦点距離
1       1    -58.43
2       2     52.34
3       4     36.66
4       6     -7.14
5       8     -8.71
6      10     11.09
7      12      0.00
8      14    -76.93
9      16     12.92
10      19    -24.98
11      21     10.85
12      22    -25.56
13      24    -14.81
14      26     14.68
15      28      0.00
16      30      0.00
【００９４】
（数値実施例２）
単位 mm
面データ
面番号       r        d      nd         νd       有効径
1         32.569    1.20   1.84666    23.9       24.31
2         19.807    3.60   1.59282    68.6       21.76
3         69.358    0.11                         21.27
4         23.456    2.70   1.77250    49.6       20.62
5         73.065  (可変)                         19.99
6        117.517    1.20   1.86400    40.6       13.62
7*         6.215    3.73                          9.61
8        -12.077    0.70   1.88300    40.8        9.31
9         30.450    0.12                          9.57
10         18.308    2.00   1.92286    18.9        9.79
11        -26.183  (可変)                          9.79
12          ∞       8.00                          7.98
13          ∞       0.69                          5.97
14        -25.508    0.65   1.77250    49.6        6.07
15        -49.142  (可変)                          6.24
16*         9.848    2.10   1.55332    71.7        6.55
17*       -34.828    1.11                          6.47
18(絞り)    ∞       1.11                          6.25
19         12.978    0.65   1.84666    23.9        5.99
20          8.181    1.63                          5.74
21         15.449    2.90   1.48749    70.2        5.81
22         -8.986    0.65   1.88300    40.8        5.61
23        -14.140  (可変)                          5.75
24        -49.593    0.80   1.60311    60.6        5.68
25         12.334  (可変)                          5.73
26*        14.792    3.00   1.48749    70.2        9.84
27        -15.612  (可変)                          9.88
28          ∞       0.30   1.51633    64.1       20.00
29          ∞       1.50                         20.00
30          ∞       0.50   1.51633    64.1       20.00
31          ∞                                    20.00
像面        ∞   
【００９５】
非球面データ
第7面
K = 0.00000e+000  A 4=-5.94099e-005  A 6=-2.81478e-006  A 8= 1.22686e-007  A10=-2.51021e-009  
第16面
K =-3.43698e-001  A 4=-3.65178e-005  A 6=-7.24008e-007  A 8= 1.20830e-008  
第17面
K =-3.02555e+001  A 4= 2.39378e-005  
第26面
K = 0.00000e+000  A 4=-6.71413e-005  A 6=-5.68829e-007  A 8= 6.21340e-009  
各種データ
ズーム比      8.53 
広角     中間     望遠
焦点距離       4.90    14.24    41.76  
Fナンバー      3.29     4.69     6.07  
半画角        34.25    15.22     5.30  
像高           3.33     3.88     3.88  
レンズ全長    74.02    78.10    86.77  
BF            11.08     7.63    4.95 
d 5            0.80     8.56    17.30  
d11            4.56     0.88     0.81  
d15           12.34     4.83     0.40  
d23            1.65     9.16    13.59  
d25            4.68     8.13    10.81  
d27            8.55     5.10     2.42    
入射瞳位置    16.32    37.16    99.03  
射出瞳位置   -50.39   221.85    63.65  
前側主点位置  20.75    52.31   168.40  
後側主点位置  -4.40   -13.74   -41.26  
ズームレンズ群データ
群  始面    焦点距離  レンズ構成長  前側主点位置  後側主点位置
L1    1      36.85         7.61         0.73         -3.82
L2    6      -7.14         7.74         0.52         -5.84
UR   12       ∞           8.00         4.00         -4.00
L3   14     -69.49         0.65        -0.40         -0.77
L4   16      13.32        10.16         2.72         -6.61
L5   24     -16.30         0.80         0.40         -0.10
L6   26      16.10         3.00         1.01         -1.07
G   28       ∞           2.30         1.01         -1.01
単レンズデータ
レンズ  始面  焦点距離
1       1    -62.39
2       2     45.53
3       4     43.69
4       6     -7.63
5       8     -9.72
6      10     11.93
7      14    -69.49
8      16     14.11
9      19    -27.87
10      21     12.13
11      22    -29.67
12      24    -16.30
13      26     16.10
14      28      0.00
15      30      0.00
【００９６】
（数値実施例３）
単位 mm
面データ
面番号       r        d      nd         νd       有効径
1         35.542    1.20   1.84666    23.8       24.54
2         20.001    3.80   1.60300    65.4       21.79
3         82.748    0.10                         20.34
4         22.033    2.40   1.77250    49.6       19.52
5         76.484  (可変)                         19.11
6        132.635    1.15   1.85135    40.1       12.87
7*         5.824    3.40                          8.92
8        -11.841    0.65   1.88300    40.8        8.53
9         26.152    0.15                          8.60
10         17.002    2.25   1.92286    18.9        8.74
11        -26.285  (可変)                          8.66
12          ∞       7.00   1.88300    40.8        6.39
13          ∞       0.80                          5.46
14        -26.364    0.65   1.64000    60.1        5.62
15        -52.757  (可変)                          5.78
16(絞り)    ∞     (可変)                          5.95
17*         9.151    2.10   1.55332    71.7        6.20
18*       -32.063    2.14                          6.21
19         12.779    0.65   1.84666    23.8        6.29
20          7.785    1.39                          6.10
21         14.743    2.50   1.51633    64.1        6.47
22         -7.948    0.65   1.88300    40.8        6.55
23        -14.330  (可変)                          6.76
24        -59.860    0.75   1.60311    60.6        6.74
25         11.721  (可変)                          6.79
26*        12.799    3.15   1.50670    70.5        9.62
27        -18.021  (可変)                          9.63
28          ∞       0.30   1.51633    64.1       20.00
29          ∞       1.50                         20.00
30          ∞       0.50   1.51633    64.1       20.00
31          ∞                                    20.00
像面        ∞   
【００９７】
非球面データ
第7面
K = 0.00000e+000  A 4=-1.03449e-004  A 6= 3.79250e-006  A 8=-3.86219e-007  A10= 7.81047e-009  
第17面
K =-4.95493e-001  A 4=-4.59098e-005  A 6=-1.91545e-006  A 8= 2.21486e-008  
第18面
K =-3.97025e+001  A 4=-6.69292e-005  
第26面
K = 0.00000e+000  A 4=-6.32748e-005  A 6=-3.51836e-007  A 8= 9.47021e-010  
各種データ
ズーム比      9.50 
広角     中間     望遠
焦点距離       4.63    16.85    43.99  
Fナンバー      3.20     4.93     6.07  
半画角        35.75    12.95     5.03  
像高           3.33     3.88     3.88  
レンズ全長    71.86    78.24    83.88  
BF            10.30     5.78    5.08 
d 5            0.76    10.23    16.37  
d11            4.68     1.58     1.09  
d15            9.29     3.87     0.47  
d16            4.53     2.06     0.31  
d23            0.99     8.89    14.04  
d25            4.17     8.69     9.38  
d27            7.77     3.25     2.56   
入射瞳位置    14.81    42.45    86.91  
射出瞳位置  -259.46    72.75    59.45  
前側主点位置  19.36    63.23   163.73  
後側主点位置  -4.13   -16.35   -43.49  
ズームレンズ群データ
群  始面    焦点距離  レンズ構成長  前側主点位置  後側主点位置
L1    1      34.19         7.50         1.22         -3.28
L2    6      -6.69         7.60         0.48         -5.69
UR   12       ∞           7.00         1.86         -1.86
L3   14     -83.14         0.65        -0.40         -0.80
LS   16       ∞           0.00         0.00         -0.00
L4   17      12.71         9.43         2.14         -6.25
L5   24     -16.19         0.75         0.39         -0.08
L6   26      15.30         3.15         0.90         -1.27
G   28       ∞           2.30         1.01         -1.01
単レンズデータ
レンズ  始面  焦点距離
1       1    -56.01
2       2     42.77
3       4     39.31
4       6     -7.18
5       8     -9.16
6      10     11.47
7      12      0.00
8      14    -83.14
9      17     13.10
10      19    -25.03
11      21     10.39
12      22    -21.23
13      24    -16.19
14      26     15.30
15      28      0.00
16      30      0.00
【００９８】
（数値実施例４）
単位 mm
面データ
面番号       r        d      nd         νd       有効径
1         35.840    1.20   1.84666    23.9       22.02
2         23.085    3.20   1.55332    71.7       20.09
3        219.562    0.10                         18.86
4         29.929    1.70   1.69680    55.5       16.60
5        137.857  (可変)                         15.61
6       -458.440    1.05   1.84954    40.1       12.97
7*         6.960    3.66                          9.76
8        -10.889    0.60   1.88300    40.8        9.40
9        827.269    0.10                          9.72
10         33.800    1.70   1.94595    18.0        9.88
11        -24.698  (可変)                          9.91
12          ∞       9.50   1.83400    37.2        8.88
13          ∞       1.03                          7.23
14         -9.467    0.60   1.48749    70.2        7.12
15        -11.446  (可変)                          7.16
16*         9.241    2.35   1.58313    59.4        7.90
17*       -41.011    1.00                          7.70
18(絞り)    ∞       1.00                          6.59
19         19.669    0.60   1.84666    23.9        6.28
20          8.446    1.23                          6.03
21*        14.484    2.00   1.48749    70.2        7.20
22        -22.344  (可変)                          7.10
23        -39.402    0.70   1.55332    71.7        6.08
24         29.970  (可変)                          6.17
25         16.444    2.80   1.55332    71.7       10.31
26        -23.252    0.60   1.77250    49.6       10.20
27        -40.048  (可変)                         10.19
28          ∞       0.30   1.51633    64.1       20.00
29          ∞       1.50                         20.00
30          ∞       0.50   1.51633    64.1       20.00
31          ∞                                    20.00
像面        ∞   
【００９９】
非球面データ
第7面
K =-1.09678e-001  A 4=-4.44213e-005  A 6=-6.06895e-007  
第16面
K =-1.32529e+000  A 4= 8.46085e-005  A 6=-1.95426e-007  A 8=-5.16392e-010  
第17面
K = 2.21785e+001  A 4= 8.92541e-005  
第21面
K =-1.00040e+000  A 4=-3.56047e-005  A 6= 5.22400e-008  A 8=-2.19280e-008  
各種データ
ズーム比      6.83 
広角     中間     望遠
焦点距離       5.15    16.71    35.18  
Fナンバー      3.07     4.79     5.74  
半画角        32.89    13.05     6.29  
像高           3.33     3.88     3.88  
レンズ全長    76.38    83.02    89.12  
BF            8.30     8.50      7.55
d 5            0.97     8.64    15.43  
d11            2.70     1.67     0.98  
d15           17.69     4.28     0.30  
d22            0.97     6.39    12.10  
d24            8.76    16.54    15.77  
d27            5.77     5.98     5.02   
入射瞳位置    15.00    32.67    63.90  
射出瞳位置   -45.94   284.08   152.62  
前側主点位置  19.58    50.37   107.22  
後側主点位置  -4.65   -16.21   -34.68  
ズームレンズ群データ
群  始面    焦点距離  レンズ構成長  前側主点位置  後側主点位置
L1    1      37.94         6.20         1.20         -2.66
L2    6      -7.47         7.11         0.43         -5.47
UR   12       ∞           9.50         2.59         -2.59
L3   14    -124.75         0.60        -2.14         -2.59
L4   16      13.88         8.18         1.60         -5.62
L5   23     -30.65         0.70         0.26         -0.19
L6   25      23.39         3.40         0.57         -1.62
G   28       ∞           2.30         1.01         -1.01
単レンズデータ
レンズ  始面  焦点距離
1       1    -80.07
2       2     46.35
3       4     54.51
4       6     -8.06
5       8    -12.17
6      10     15.30
7      12      0.00
8      14   -124.75
9      16     13.16
10      19    -17.92
11      21     18.35
12      23    -30.65
13      25     17.86
14      26    -72.90
15      28      0.00
16      30      0.00
【０１００】
（数値実施例５）
単位 mm
面データ
面番号       r        d      nd         νd       有効径
1         35.843    0.85   1.84666    23.9       23.62
2         20.695    4.10   1.49700    81.5       21.48
3        340.774    0.05                         20.06
4         21.627    2.10   1.77250    49.6       17.20
5         95.579  (可変)                         16.85
6        116.727    0.70   1.85135    40.1       13.72
7*         6.544    3.80                         10.01
8        -12.399    0.40   1.88300    40.8        9.69
9         48.287    0.15                          9.85
10         22.001    1.75   1.95906    17.5       10.03
11        -34.573  (可変)                          9.99
12          ∞       8.50   1.80610    33.3        7.18
13          ∞       1.00                          5.54
14        -14.062    0.50   1.48749    70.2        7.00
15        -25.033  (可変)                          7.00
16*         8.378    1.90   1.55332    71.7        7.00
17*       -67.218    0.80                          7.00
18(絞り)    ∞       1.00                          6.20
19         10.573    0.60   1.90366    31.3        6.80
20          6.873    1.40                          6.60
21*        23.129    2.70   1.58313    59.4        7.00
22         -6.057    0.50   1.80610    40.9        7.00
23        -15.031  (可変)                          7.00
24        -33.088    0.50   1.53172    48.8        7.07
25         33.088  (可変)                          7.21
26         15.811    2.10   1.48749    70.2        9.71
27        -34.307  (可変)                          9.69
28          ∞       0.30   1.51633    64.1       20.00
29          ∞       1.50                         20.00
30          ∞       0.50   1.51633    64.1       20.00
31          ∞                                    20.00
像面        ∞   
【０１０１】
非球面データ
第7面
K = 1.49123e-001  A 4=-9.59483e-005  A 6=-2.72499e-006  A 8= 3.98916e-008  A10=-3.09588e-009  
第16面
K =-4.91752e-001  A 4=-2.37528e-005  A 6=-1.58510e-006  A 8= 5.38005e-008  
第17面
K =-2.47829e+002  A 4=-2.29333e-005  
第21面
K = 6.87148e+000  A 4= 5.32093e-005  A 6= 1.92409e-006  A 8=-6.46807e-008  A10=
1.22441e-009  
各種データ
ズーム比     11.35 
広角     中間     望遠
焦点距離       5.15    25.24    58.50  
Fナンバー      3.50     5.00     6.08  
半画角        33.19     8.73     3.79  
像高           3.37     3.88     3.88  
レンズ全長    76.76    81.32    86.26  
BF             9.89    13.06     7.34 
d 5            0.45    11.32    16.31  
d11            6.90     0.60     0.54  
d15           14.40     3.46     0.99  
d23            2.85    13.79    16.27  
d25            6.60     3.42     9.14  
d27            7.36    10.53     4.81    
入射瞳位置    15.18    53.87   113.71  
射出瞳位置   -45.74   -67.78   28103.68  
前側主点位置  19.76    69.78   172.34  
後側主点位置  -4.65   -24.74   -58.00  
ズームレンズ群データ
群  始面    焦点距離  レンズ構成長  前側主点位置  後側主点位置
L1    1      30.60         7.10         2.12         -2.38
L2    6      -7.19         6.80         0.48         -5.14
UR   12       ∞           8.50         2.35         -2.35
L3   14     -66.82         0.50        -0.44         -0.78
L4   16      14.37         8.90         1.36         -6.21
L5   24     -31.03         0.50         0.16         -0.16
L6   26      22.51         2.10         0.45         -0.98
G   28       ∞           2.30         1.01         -1.01
単レンズデータ
レンズ  始面  焦点距離
1       1    -59.37
2       2     44.14
3       4     35.74
4       6     -8.17
5       8    -11.14
6      10     14.23
7      12      0.00
8      14    -66.82
9      16     13.58
10      19    -23.55
11      21      8.52
12      22    -12.91
13      24    -31.03
14      26     22.51
15      28      0.00
16      30      0.00
【０１０２】
（数値実施例６）
単位 mm
面データ
面番号       r        d      nd         νd       有効径
1         33.995    1.10   1.84666    23.8       23.49
2         19.237    4.00   1.59282    68.6       21.04
3        129.013    0.10                         19.65
4         21.484    2.00   1.77250    49.6       16.69
5         77.246  (可変)                         15.66
6       2770.857    1.05   1.85135    40.1       14.20
7*         6.075    3.88                         10.10
8        -14.789    0.60   1.88300    40.8        9.88
9         35.129    0.10                         10.11
10         19.661    2.50   1.94595    18.0       10.33
11        -27.291  (可変)                         10.31
12          ∞       8.00   1.83400    37.2        7.24
13          ∞       0.81                          6.34
14        -16.935    0.60   1.88300    40.8        6.43
15        -34.443  (可変)                          6.63
16*         8.939    2.60   1.55332    71.7        7.01
17*       -37.742    1.00                          6.88
18(絞り)    ∞       1.00                          6.63
19         11.439    0.60   1.80610    33.3        6.51
20          7.214    1.18                          6.28
21         13.305    2.80   1.49700    81.5        6.52
22         -7.865    0.60   1.88300    40.8        6.55
23        -15.269  (可変)                          6.74
24        -37.463    0.70   1.48749    70.2        6.41
25         13.868  (可変)                          6.46
26*        13.687    3.15   1.48749    70.2       10.38
27        -25.410  (可変)                         10.28
28          ∞       0.30   1.51633    64.1       20.00
29          ∞       1.50                         20.00
30          ∞       0.50   1.51633    64.1       20.00
31          ∞                                    20.00
像面        ∞   
【０１０３】
非球面データ
第7面
K =-3.84786e-001  A 4= 6.27857e-005  A 6= 4.96701e-007  A 8= 9.99933e-008  A10=-9.53117e-010  
第16面
K =-6.90777e-001  A 4=-2.90468e-005  A 6=-2.03489e-007  A 8=-3.95408e-009  
第17面
K =-3.32420e+001  A 4=-5.36955e-005  
第26面
K = 0.00000e+000  A 4=-2.18835e-005  A 6=-5.64572e-008  A 8=-1.39247e-009  
各種データ
ズーム比     13.99 
広角     中間     望遠
焦点距離       5.15    16.68    72.05  
Fナンバー      3.31     4.55     6.07  
半画角        33.51    13.08     3.08  
像高           3.41     3.88     3.88  
レンズ全長    78.56    80.88    88.25  
BF            10.44    10.59    5.42 
d 5            0.68     7.70    16.59  
d11            7.04     2.34     0.83  
d15           13.16     4.60     0.30  
d23            1.26     9.82    14.12  
d25            7.34     7.20    12.37  
d27            7.92     8.06     2.89   
入射瞳位置    15.82    36.15   130.73  
射出瞳位置   -57.83  -183.97    88.89  
前側主点位置  20.51    51.32   261.52  
後側主点位置  -4.65   -16.18   -71.55  
ズームレンズ群データ
群  始面    焦点距離  レンズ構成長  前側主点位置  後側主点位置
L1    1      30.52         7.20         1.57         -2.83
L2    6      -7.82         8.13        -0.02         -6.97
UR   12       ∞           8.00         2.18         -2.18
L3   14     -38.35         0.60        -0.31         -0.64
L4   16      13.04         9.78         1.68         -6.60
L5   24     -20.67         0.70         0.34         -0.13
L6   26      18.74         3.15         0.76         -1.41
G   28       ∞           2.30         1.01         -1.01
単レンズデータ
レンズ  始面  焦点距離
1       1    -54.19
2       2     37.63
3       4     37.93
4       6     -7.15
5       8    -11.72
6      10     12.40
7      12      0.00
8      14    -38.35
9      16     13.33
10      19    -25.87
11      21     10.40
12      22    -19.09
13      24    -20.67
14      26     18.74
15      28      0.00
16      30      0.00
【０１０４】
（数値実施例７）
単位 mm
面データ
面番号       r        d      nd         νd       有効径
1         41.911    1.00   1.84666    23.9       24.25
2         20.801    4.00   1.61800    63.3       21.78
3        238.630    0.10                         20.56
4         19.108    2.60   1.77250    49.6       17.93
5         62.702  (可変)                         17.33
6        117.905    0.80   1.85135    40.1       12.61
7*         5.896    3.60                          9.06
8        -11.312    0.60   1.88300    40.8        8.62
9         34.929    0.10                          8.75
10         20.923    1.80   1.94595    18.0        8.86
11        -30.404  (可変)                          8.84
12          ∞       8.00   1.83400    37.2        7.35
13          ∞     (可変)                          5.90
14*         9.554    2.30   1.55332    71.7        5.28
15*     -12766.102    1.00                          5.11
16(絞り)    ∞       1.00                          5.01
17          9.588    0.70   1.84666    23.9        4.89
18          7.082    0.70                          4.66
19*        19.688    2.00   1.55332    71.7        4.68
20         -5.160    0.60   1.77250    49.6        4.60
21        -13.876  (可変)                          4.71
22         12.120    2.20   1.77250    49.6        9.28
23         30.400    0.70   1.94595    18.0        8.86
24         18.947  (可変)                          8.62
25          ∞       1.00   1.51633    64.1       20.00
26          ∞                                    20.00
像面        ∞   
【０１０５】
非球面データ
第7面
K =-1.22408e-002  A 4=-7.64686e-005  
第14面
K =-1.76907e+000  A 4= 7.06284e-005  A 6= 3.37752e-006  A 8=-2.21321e-007  
第15面
K = 2.37349e+007  A 4=-1.08046e-004  
第19面
K = 1.09850e+001  A 4= 1.34385e-005  
各種データ
ズーム比      9.47 
広角     中間     望遠
焦点距離       5.13    14.47    48.60  
Fナンバー      3.60     4.86     5.74  
半画角        33.31    14.99     4.56  
像高           3.37     3.88     3.88  
レンズ全長    68.00    70.39    77.88  
BF            5.35     9.26     2.77 
d 5            0.69     6.04    14.57  
d11            4.06     1.10     0.06  
d13           13.37     3.60    -0.15  
d21           10.39    16.25    26.49  
d24            4.19     8.10     1.61   
入射瞳位置    15.45    29.30    99.04  
射出瞳位置   -24.89   -42.72   -89.12  
前側主点位置  19.54    38.93   121.28  
後側主点位置  -4.63   -13.97   -48.10  
ズームレンズ群データ
群  始面    焦点距離  レンズ構成長  前側主点位置  後側主点位置
L1    1      28.75         7.70         1.67         -2.93
L2    6      -6.09         6.90         0.64         -4.89
UR   12       ∞           8.00         2.18         -2.18
L3   14      14.91         8.30         1.32         -5.43
L4   22      41.23         2.90        -3.00         -4.29
G   25       ∞           1.00         0.33         -0.33
単レンズデータ
レンズ  始面  焦点距離
1       1    -49.86
2       2     36.62
3       4     34.68
4       6     -7.31
5       8     -9.62
6      10     13.33
7      12      0.00
8      14     17.25
9      17    -36.70
10      19      7.61
11      20    -10.96
12      22     24.79
13      23    -54.80
14      25      0.00
【０１０６】
（数値実施例８）
単位 mm
面データ
面番号       r        d      nd         νd       有効径
1         34.161    1.20   1.84666    23.9       26.20
2         21.199    3.70   1.59282    68.6       23.41
3         66.122    0.12                         21.97
4         26.833    2.30   1.77250    49.6       19.53
5         86.631  (可変)                         18.13
6        137.406    1.20   1.84954    40.1       14.33
7*         6.131    3.94                          9.88
8        -11.824    0.70   1.88300    40.8        9.55
9         30.577    0.16                          9.81
10         19.283    2.30   1.92286    18.9       10.05
11        -28.205  (可変)                         10.06
12          ∞       9.00   1.83400    37.2        8.17
13          ∞     (可変)                          6.59
14*         9.907    2.40   1.55332    71.7        6.95
15*       -38.154    1.15                          6.84
16(絞り)    ∞       1.15                          6.57
17         13.574    0.70   1.84666    23.9        6.26
18          8.310    1.12                          5.97
19         17.051    3.50   1.48749    70.2        6.01
20         -8.599    0.70   1.88300    40.8        6.07
21        -14.337  (可変)                          6.24
22        -60.527    0.80   1.60311    60.6        5.88
23         11.688  (可変)                          5.91
24*        13.713    4.30   1.48749    70.2       10.42
25        -14.526  (可変)                         10.44
26          ∞       0.30   1.51633    64.1       20.00
27          ∞       1.50                         20.00
28          ∞       0.50   1.51633    64.1       20.00
29          ∞                                    20.00
像面        ∞   
【０１０７】
非球面データ
第7面
K = 0.00000e+000  A 4=-9.39007e-005  A 6=-2.47950e-006  A 8= 3.06773e-008  A10=-3.95563e-009  
第14面
K =-7.17496e-002  A 4=-1.30618e-004  A 6=-1.93409e-007  A 8=-3.88670e-008  
第15面
K =-2.60059e+001  A 4=-4.10954e-005  
第24面
K = 0.00000e+000  A 4=-1.02776e-004  A 6=-3.84889e-007  A 8=-3.46352e-009  
各種データ
ズーム比      9.50 
広角     中間     望遠
焦点距離       5.00    23.92    47.52  
Fナンバー      3.13     5.63     6.50  
半画角        37.78     9.20     4.66  
像高           3.88     3.88     3.88  
レンズ全長    79.87    88.03    94.48  
BF           10.92     6.02     4.95 
d 5            0.93    13.11    19.89  
d11            5.28     1.26     0.94  
d13           15.44     3.48     0.61  
d21            0.81    12.76    15.63  
d23            5.78    10.67    11.74  
d25            8.39     3.50     2.43   
入射瞳位置    15.44    48.72    93.59  
射出瞳位置   -79.20    48.05    40.42  
前側主点位置  20.12    84.68   197.67  
後側主点位置  -4.50   -23.42   -47.02  
ズームレンズ群データ
群  始面    焦点距離  レンズ構成長  前側主点位置  後側主点位置
L1    1      42.08         7.32         0.68         -3.71
L2    6      -6.67         8.30         0.68         -6.05
UR   12       ∞           9.00         2.45         -2.45
L3   14      14.32        10.73         2.13         -7.17
L4   22     -16.18         0.80         0.42         -0.08
L5   24      15.23         4.30         1.48         -1.57
G   26       ∞           2.30         1.01         -1.01
単レンズデータ
レンズ  始面  焦点距離
1       1    -68.91
2       2     51.07
3       4     49.49
4       6     -7.59
5       8     -9.58
6      10     12.71
7      12      0.00
8      14     14.47
9      17    -26.95
10      19     12.27
11      20    -25.81
12      22    -16.18
13      24     15.23
14      26      0.00
15      28      0.00
【０１０８】
【表１】
0005730138.tif 000002
【０１０９】
次に本発明のズームレンズを撮影光学系として用いたデジタルカメラ（光学機器）の実施形態を図１８を用いて説明する。図１８において、２０はデジタルカメラ本体、２１は上述の実施例のズームレンズによって構成された撮影光学系である。Ｐは反射素子である。撮影光学系２１は被写体の像をＣＣＤ等の固体撮像素子上（光電変換素子上）２２に形成している。２３は撮像素子２２が受光した被写体の像を記録する記録手段、２４は不図示の表示素子に表示された画像を観察するためのファインダーである。上記表示素子は液晶パネル等によって構成され、撮像素子２２上に形成された画像が表示される。
【０１１０】
このように本発明のズームレンズをデジタルカメラ等に適用することにより、小型で高い光学性能を有する撮像装置を実現している。
【符号の説明】
【０１１１】
Ｌ１  第１レンズ群        Ｌ２  第２レンズ群        Ｌ３  第３レンズ群
Ｌ４  第４レンズ群        Ｌ５  第５レンズ群        Ｌ６  第６レンズ群
ＬＲ  後続レンズ群        ＵＲ  反射素子
ＳＳ  開口絞り
【図１】
0005730138.tif 000003
【図２】
0005730138.tif 000004
【図３】
0005730138.tif 000005
【図４】
0005730138.tif 000006
【図５】
0005730138.tif 000007
【図６】
0005730138.tif 000008
【図７】
0005730138.tif 000009
【図８】
0005730138.tif 000010
【図９】
0005730138.tif 000011
【図１０】
0005730138.tif 000012
【図１１】
0005730138.tif 000013
【図１２】
0005730138.tif 000014
【図１３】
0005730138.tif 000015
【図１４】
0005730138.tif 000016
【図１５】
0005730138.tif 000017
【図１６】
0005730138.tif 000018
【図１７】
0005730138.tif 000019
【図１８】
0005730138.tif 000020